(57)【要約】【課題】  蒸発皿の着脱自在性を確保し、かつ、蒸発皿の温度上昇が検出可能な加湿装置を提供する。【解決手段】  加湿機能を有する空気清浄機１は、蒸発皿１０と、ランプヒータ９と、受熱部１２と、温度センサ１４とを備えている。蒸発皿１０は、水を貯留する。ランプヒータ９は、水を水面から加熱する。受熱部１２は、蒸発皿１０から熱を受ける。温度センサ１４は、受熱部１２の温度を検出する。受熱部１２における温度センサ１４が装着される部分は、少なくとも蒸発皿１０の適正水位よりも下方の位置において、蒸発皿１０の側部１０ａに微少隙間を介して近接配置されている。【選択図】      図２
2006125741.tif 000002
【特許請求の範囲】
【請求項１】
水を貯留する蒸発皿（１０）と、
前記水を水面から加熱するヒータ（９）と、
前記蒸発皿（１０）から熱を受ける受熱部（１２）と、
前記受熱部（１２）の温度を検出する温度検出部（１４）と
を備え、
前記受熱部（１２）における前記温度検出部（１４）が装着される部分は、少なくとも前記蒸発皿（１０）の適正水位よりも下方の位置において、前記蒸発皿（１０）の側部に微少隙間を介して近接配置されている、
加湿装置。
【請求項２】
前記ヒータ（９）は、前記蒸発皿（１０）の上方に配置されるランプヒータである、
請求項１に記載の加湿装置。
【請求項３】
前記温度検出部（１４）によって検出された温度が所定の温度を超えたときに前記ヒータ（９）の運転を停止する水切れ異常安全装置（３３）、をさらに備えている、
請求項１または２に記載の加湿装置。
【請求項４】
前記温度検出部（１４）は、前記温度検出部（１４）によって検出された温度が所定の温度を超えたときに前記ヒータ（９）の運転を停止するバイメタルである、
請求項１または２に記載の加湿装置。
【請求項５】
前記蒸発皿（１０）が、本体に着脱自在に配置され、
前記蒸発皿（１０）が適正位置に装着されたときに前記蒸発皿（１０）に接触する接触部（１３）をさらに備え、
前記接触部（１３）は、前記受熱部（１２）と一体になるように、前記受熱部（１２）から下方に延びている、
請求項１から４のいずれか１項に記載の加湿装置。
【請求項６】
前記蒸発皿（１０）から発生する蒸気を含む空気の温度を検出する空気温度検出部（２７）、をさらに備えている、
請求項１から５のいずれかに記載の加湿装置。
【請求項７】
前記空気温度検出部（２７）によって検出された温度が所定の温度を超えたときに前記ヒータ（９）の運転を停止する空気温度異常安全装置（３４）、をさらに備えている、
請求項６に記載の加湿装置。
【発明の詳細な説明】
【技術分野】
【０００１】
本発明は、加湿装置に関し、とくに水面加熱式の加湿装置に関する。
【背景技術】
【０００２】
従来より、水面加熱式の加湿装置が種々提案されている。水面加熱式の加湿装置の場合、 蒸発皿の水がヒータによって加熱されて全て蒸発したときに、いわゆる空焚きの状態になり、蒸発皿はヒータからの熱を直接受けて短時間で過熱してしまう。その結果、蒸発皿がその周囲にある加湿装置の内部を構成する樹脂部品の耐熱温度を超えたときに、これらの樹脂部品が変形するなどの不具合が生じるおそれがある。
【０００３】
そこで、蒸発皿の空焚きを防止するために、特許文献１に記載されるように、本体内部の所定位置に固定された蒸発皿の外側面に熱伝導板が圧接され、熱伝導板を介して蒸発皿の温度上昇を温度過昇検出器で検出する水面過熱式加湿器が提案されている。温度過昇検出器は、標準水位よりも高い位置に配置されている。
【特許文献１】実開平４−１２９０４３号公報
【発明の開示】
【発明が解決しようとする課題】
【０００４】
蒸発皿の清掃等のメンテナンス作業を行うためには、蒸発皿は着脱自在である方が好ましい。しかし、特許文献１記載の加湿器は、蒸発皿が本体内部に固定されているため、着脱できないような構造になっている。もし、この特許文献１記載の加湿器を蒸発皿が着脱自在な構造に変更した場合、蒸発皿と熱伝導板とのあいだに隙間が生じれば、蒸発皿の温度上昇が温度過昇検出器によって検出されない。また、蒸発皿の側面に熱伝導板を正確に圧接すれば、蒸発皿の着脱自在性が確保できないという問題がある。
【０００５】
本発明はこのような問題を解消するためになされたものであり、蒸発皿の着脱自在性を確保し、かつ、蒸発皿の温度上昇が検出可能な加湿装置を提供することを目的とする。
【課題を解決するための手段】
【０００６】
第１発明の加湿装置は、蒸発皿と、ヒータと、受熱部と、温度検出部とを備えている。蒸発皿は、水を貯留する。ヒータは、水を水面から加熱する。受熱部は、蒸発皿から熱を受ける。温度検出部は、受熱部の温度を検出する。受熱部における温度検出部が装着される部分は、少なくとも蒸発皿の適正水位よりも下方の位置において、蒸発皿の側部に微少隙間を介して近接配置されている。
【０００７】
ここでは、受熱部における温度検出部が装着される部分は、少なくとも蒸発皿の適正水位よりも下方の位置において、蒸発皿の側部に微少隙間を介して近接配置されているので、蒸発皿の内部の水の水位が低下したときに、蒸発皿の側部から生じる輻射熱を受熱部で受けることができる。これにより、蒸発皿が受熱部と接触していなくても、蒸発皿の水温上昇および水位低下を検出することができる。また、蒸発皿は受熱部と接触していなくても、温度検出部によって温度検出が可能であるので、着脱自在性が確保されやすい。
【０００８】
第２発明の加湿装置は、第１発明の加湿装置であって、ヒータが、ランプヒータである。ランプヒータは、蒸発皿の上方に配置される。
ここでは、ヒータが、蒸発皿の上方に配置されるランプヒータであるので、水を沸騰温度まで迅速に上昇させることができる（いわゆる立ち上がりが早い）。
【０００９】
第３発明の加湿装置は、第１発明または第２発明の加湿装置であって、水切れ異常安全装置をさらに備えている。水切れ異常安全装置は、温度検出部によって検出された温度が所定の温度を超えたときにヒータの運転を停止する。
ここでは、水切れ異常安全装置をさらに備えているので、温度検出部によって検出された温度が所定の温度を超えたときにヒータの運転を停止することができる。
【００１０】
第４発明の加湿装置は、第１発明または第２発明の加湿装置であって、温度検出部は、温度検出部によって検出された温度が所定の温度を超えたときにヒータの運転を停止するバイメタルである。
ここでは、温度検出部は、バイメタルであるので、バイメタルによって検出された温度が所定の温度を超えたときにヒータの運転を停止することができる。
【００１１】
第５発明の加湿装置は、第１発明から第４発明のいずれかの加湿装置であって、蒸発皿が、本体に着脱自在に配置されている。また、加湿装置は、接触部をさらに備えている。接触部は、蒸発皿が適正位置に装着されたときに蒸発皿に接触する。接触部は、受熱部と一体になるように、受熱部から下方に延びている。
ここでは、蒸発皿と接触する接触部を備えているので、蒸発皿が適正位置に装着されたときには、温度検出部が受熱部からの輻射熱および接触部からの伝導熱を両方検出することができる。また、蒸発皿が適正位置に装着されずに、蒸発皿と接触部とのあいだに隙間ができたときでも、温度検出部は、蒸発皿からの輻射熱を検出することができる。
【００１２】
第６発明の加湿装置は、第１発明から第５発明のいずれかの加湿装置であって、空気温度検出部をさらに備えている。空気温度検出部は、蒸発皿から発生する蒸気を含む空気の温度を検出する。
ここでは、空気温度検出部を備えているので、外部に放出される蒸気を含んだ空気の温度が異常上昇した場合に、空気温度検出部によって空気温度の上昇を検出することができる。
【００１３】
第７発明の加湿装置は、第６発明の加湿装置であって、空気温度異常安全装置をさらに備えている。空気温度異常安全装置は、空気温度検出部によって検出された温度が所定の温度を超えたときにヒータの運転を停止する。
ここでは、空気温度異常安全装置を備えているので、空気温度検出部によって検出された温度が所定の温度を超えたときにヒータの運転を停止することができる。
【発明の効果】
【００１４】
第１発明によれば、蒸発皿の内部の水の水位が低下したときに、蒸発皿の側部から生じる輻射熱を受熱部で受けることができ、これによって、蒸発皿が受熱部と接触していなくても、蒸発皿の水温上昇および水位低下を検出することができる。また、蒸発皿は受熱部と接触していなくても、温度検出部によって温度検出が可能であるので、着脱自在性が確保されやすい。
【００１５】
第２発明によれば、水を沸騰温度まで迅速に上昇させることができる。
第３発明によれば、温度検出部によって検出された温度が所定の温度を超えたときにヒータの運転を停止することができる。
第４発明によれば、バイメタルによって検出された温度が所定の温度を超えたときにヒータの運転を停止することができる。
【００１６】
第５発明によれば、蒸発皿が適正位置に装着されたときには、温度検出部が受熱部からの輻射熱および接触部からの伝導熱を両方検出することができる。また、蒸発皿が適正位置に装着されずに、蒸発皿と接触部とのあいだに隙間ができたときでも、温度検出部は、蒸発皿からの輻射熱を検出することができる。
第６発明によれば、外部に放出される蒸気を含んだ空気の温度が異常上昇した場合に、空気温度検出部によって空気温度の上昇を検出することができる。
【００１７】
第７発明によれば、空気温度検出部によって検出された温度が所定の温度を超えたときにヒータの運転を停止することができる。
【発明を実施するための最良の形態】
【００１８】
つぎに図面を参照しながら、本発明の加湿装置についてさらに詳細に説明する。図１は、本発明の実施形態に係わる加湿装置の一例である加湿機能付き空気清浄機の部分分解斜視図である。図２は、図１の加湿部の縦断面図である。図３は、図２のフィルタユニットの分解斜視図である。
＜全体構成＞
図１〜３に示される加湿機能付き空気清浄機１は、室内の空気清浄および加湿を行うものであり、ファン２０と、空気清浄部２と、加湿部３とを備えている。この空気清浄機は、ケース４の内部に、図３に示されるファン２０、および空気清浄部２を構成するフィルタユニット４０が収納されている。加湿部３は、ケース４の背後に取り付けられている。
＜ファン２０の構成＞
ファン２０は、図３に示されるように、ファンロータ２１と、モータ２２とを備えている。ファン２０は、ケース４の内部に配置されている。ファンロータ２１は、遠心方向に風を吹き出すシロッコファンである。ファン２０で発生した遠心方向の風は、ファンケーシング（図示せず）を用いて上方へ案内して吹出口７からケース４の外部に排出される。
【００１９】
＜空気清浄部２の構成＞
空気清浄部２は、複数のフィルタなどによって構成されるフィルタユニット４０を備えている。
ファン２０によって発生された負圧により、空気清浄機１の前面を覆うフロントカバー５に開けられた開口またはスリット（図示せず）、およびフロントカバー５の周囲に形成された周囲吸気口６から、室内の空気は、空気清浄機１の内部に導入される。導入された空気は、フィルタユニット４０を通過することによって、清浄化される。
フィルタユニット４０は、図３に示されるように、プレフィルタ４１と、プラズマイオン化部４２と、第１光触媒フィルタ４８と、第２光触媒フィルタ４５と、インバータランプ４７と、第３光触媒フィルタ４６とから構成されている。これらの各構成要素は、具体的には以下のように構成されている。
【００２０】
まず、フィルタユニット４０の最も前側には、比較的大きなホコリや塵を除去するためのプレフィルタ４１が配置されている。プレフィルタ４１としては、合成樹脂繊維などの防塵ネットを採用することができる。プレフィルタ４１の後方には、プラズマイオン化部４２が配置されている。このプラズマイオン化部４２は、プレフィルタ４１を通過してきた煙、粉塵、花粉、その他の汚れの粒子に強い電荷をかけて帯電させるものであり、後述する第１光触媒フィルタ４８等での粒子の捕集効率を高める。プラズマイオン化部４２の後方には、第１光触媒フィルタ４８が配置されている。第１光触媒フィルタ４８は、プラズマイオン化部４２で帯電させられた粒子を吸着するための静電フィルタ４３と、光触媒作用を有する酸化チタンを含む酸化チタンフィルタ４４とが積層されたものである。この第１光触媒フィルタ４８は、複数回分の長さを巻き込んだロール状とされており、使用中の面が汚れた場合に引き出して汚れた部分をカットするような構成になっている。第１光触媒フィルタ４８の後方には、酸化チタンを含有する材料で構成される第２光触媒フィルタ４５および第３光触媒フィルタ４６が配置されている。第２光触媒フィルタ４５および第３光触媒フィルタ４６の中間には、インバータランプ４７が配置されている。このインバータランプ４７は、第１光触媒フィルタ４８と第２光触媒フィルタ４５と第３光触媒フィルタ４６とに紫外線を照射するものであり、各光触媒フィルタの光触媒作用を活性化する。
以上のように構成されたフィルタユニット４０を通過して清浄された空気は、ファン２０に吸引され、そののち、図１〜２に示されるケース４の上部に設けられる吹出口７から上方に向けて室内に排出される。
【００２１】
＜加湿部３の構成＞
加湿部３は、図１〜２に示されるように、ランプヒータ９と、蒸発皿１０と、反射板１１と、受熱部１２と、接触部１３と、温度検出部である温度センサ１４と、温度ヒューズ２５とを主要部として備えている。加湿部３で発生された蒸気は、空気清浄部２から送られる空気と合流してダクト２６を通って上昇し、蒸気排出口３０を通って外部へ排出される。加湿部３は、背面カバー１５およびタンクカバー１６によって覆われている。背面カバー１５は、蒸発皿１０をメンテナンスするときなどに取り外される。
【００２２】
ランプヒータ９は、棒状の赤外線ランプから構成されている。ランプヒータ９から照射される赤外線は、蒸発皿１０に貯留される水Ｗを水面から加熱して蒸気を発生させる。
蒸発皿１０は、金属製の皿であり、たとえば、ステンレスやアルミニウムを用いた絞り成形により製造された皿である。蒸発皿１０は、連結管１８を介して貯水タンク１７と連通されている。蒸発皿１０の底部および側部は、蒸発皿カバー１９によって覆われている。蒸発皿１０の底部と蒸発皿カバー１９とのあいだには、シリコーン樹脂などからなる遮熱材５１が介在されている。また、蒸発皿１０の上縁には、反射板カバー２４の下部に密着するパッキン３２が設けられている。図１に示されるように、蒸発皿１０は、反射板カバー２４の下側の空間２３へ空気清浄機１の背後から図２に示される矢印Ｂの方向に挿入することによって着脱自在に装着することができる。
【００２３】
反射板１１は、ランプヒータ９の上方に配置され、ランプヒータ９から放射される赤外線を蒸発皿１０の水Ｗへ向けて反射させる。反射板１１の外側は、反射板カバー２４によって覆われている。反射板カバー２４と蒸発皿１０とによって閉ざされた空間は、反射板１１によって上下に仕切られている。したがって、反射板１１の下方には第１空間Ｓ１が形成され、上方には第２空間Ｓ２が形成されている。
【００２４】
また、反射板カバー２４の外側面には、反射板１１の周囲の空気の温度を検出するために、反射板１１の周囲の空気から熱を受けるための受熱部３７と、温度検出部３５と、温度ヒューズ３６とが設けられている。受熱部３７は、ステンレスなどの熱伝導性が高い材料によって形成される。温度検出部３５としては、温度センサなどが採用される。
反射板１１に形成された蒸気排出口１１ａの上部には、接続管３１およびダクト２６が配置されている。さらに、接続管３１の上部には、ランプヒータ９から放出される赤外線が接続管３１およびダクト２６を通って外部へ洩れるのを防止するために、遮光板５２が設けられている。
【００２５】
受熱部１２は、蒸発皿１０から輻射熱を受ける。受熱部１２において、温度検出部（すなわち、温度過昇検知器として機能する温度センサ１４）および温度ヒューズ２５が装着される部分は、少なくとも蒸発皿１０の適正水位Ｌよりも下方の位置において、蒸発皿１０の側部１０ａに微少隙間δを介して近接配置されている。受熱部１２は、ステンレスなどの熱伝導性がよい材料で形成されている。
【００２６】
接触部１３は、蒸発皿１０が反射板カバー２４の下側の空間２３における適正位置（図２参照）に装着されたときに蒸発皿１０に接触する。接触部１３は、受熱部１２と一体になるように、受熱部１２から下方に延びている。接触部１３は、受熱部１２とともに、ステンレスなどの熱伝導性がよい材料を用いて一体形成されている。
温度センサ１４は、受熱部１２の温度を検出するものであり、蒸発皿１０の適正水位Ｌの近傍であって、適正水位Ｌよりも下方に配置されている。温度センサ１４は、蒸発皿１０の温度変化を受熱部１２を介して検出可能な温度センサが採用される。
【００２７】
温度センサ１４は、空気清浄機１の内部に設けられた水切れ異常安全装置３３（図４参照）に接続されている。水切れ異常安全装置３３は、温度センサ１４によって検出された温度が空気清浄機１を構成する樹脂部品の耐熱温度（たとえば蒸発皿１０および反射板カバー２４などのランプヒータ９周囲の部品の耐熱温度）近傍である所定の温度を超えたときに、ランプヒータ９の運転を停止するように制御する。
【００２８】
温度ヒューズ２５は、温度センサ１４とは別に受熱部１２の温度上昇を感知し、ランプヒータ９への通電を遮断する過熱保護部品である。温度ヒューズ２５は、たとえば、温度センサ１４よりも下方の位置に配置されている。温度ヒューズ２５は、ランプヒータ９と電源Ｅとのあいだに接続されている。温度ヒューズ２５は、空気清浄機１を構成する樹脂部品の耐熱温度（たとえば蒸発皿１０および反射板カバー２４などのランプヒータ９周囲の部品の耐熱温度）近傍になったときに、切れるようになっている。
【００２９】
＜水切れ異常に対するヒータの運転制御＞
以上のように構成された加湿機能付き空気清浄機１は、水切れ異常安全装置３３を備えているので、温度センサ１４によって検出された温度が所定の温度を超えたときにランプヒータ９の運転を停止するように制御することができる。
たとえば、図７のグラフに示されるように、蒸発皿１０の水Ｗが蒸発して水位が低下し、最終的に完全に水が蒸発して水切れの状態になる場合を考える。この場合、蒸気の温度は、曲線Ｓに示されるように、変化が小さく、ほぼ一定の温度θSを維持しているため、蒸気の温度を監視しても水切れを検知しにくい。一方、蒸発皿１０周囲にある樹脂部品の温度は、曲線Ｄに示されるように、水位が低下したのちに急激に上昇し、点Ｐ0において、樹脂部品の耐熱温度θD（たとえば蒸発皿１０および反射板カバー２４などのランプヒータ９周囲の部品の耐熱温度）に到達する。そこで、以下のように、樹脂部品の温度がθDに到達する前に、温度センサ１４によって温度の検出を行う。
【００３０】
ここで、蒸発皿１０が適正位置（図２参照）に装着され、接触部１３が蒸発皿１０に接触している場合（曲線Ａ１）と、蒸発皿１０が適正位置（図２参照）に装着されずに、接触部１３と蒸発皿１０とが接触していない場合（曲線Ａ２）とについて考える。
蒸発皿１０が適正位置に装着されている場合（曲線Ａ１）には、蒸発皿１０の側部からの輻射熱を受熱部１２で受けるとともに、蒸発皿１０からの伝導熱を接触部１３で直接受ける。したがって、温度センサ１４で検出される温度は、比較的早く上昇する。第１段階として、温度センサ１４が水Ｗの沸騰温度である１００℃より若干低い温度である第１温度θ1を検出したときには、水切れ異常安全装置３３は、ランプヒータ９の運転を停止するように制御する。
【００３１】
ここで、温度センサ１４または水切れ異常安全装置３３の故障等の理由でランプヒータ９が継続して運転を続けた場合には、さらに、温度が上昇するので、第２段階として、温度ヒューズ２５が１００℃以上でかつ耐熱温度θDより若干低い温度である第２温度θ2を検出したときには、温度ヒューズ２５が切れ、ランプヒータ９への通電を遮断する。
一方、蒸発皿１０が適正位置に装着されていない場合（曲線Ａ２）には、蒸発皿１０の側部からの輻射熱を受熱部１２で受けることができるが、蒸発皿１０と接触部１３とが離れているので、蒸発皿１０からの伝導熱を接触部１３で受けることができない。この場合、温度センサ１４で検出される温度は、受熱部１２が受ける輻射熱のみであっても、曲線Ａ１より緩やかであるが、樹脂部品の温度上昇曲線Ｄよりも早く上昇する。したがって、曲線Ａ１の場合と同様に、第１段階として、温度センサ１４が第１温度θ1を検出したときには、水切れ異常安全装置３３は、ランプヒータ９の運転を停止するように制御する。
さらに、温度センサ１４または水切れ異常安全装置３３の故障等の理由でランプヒータ９が継続して運転を続けた場合には、さらに、温度が上昇するので、第２段階として、温度ヒューズ２５が第２温度θ2を検出したときには、温度ヒューズ２５が切れ、ランプヒータ９への通電を遮断する。
【００３２】
＜空気温度異常に対するヒータの運転制御＞
また、本実施形態では、外部に放出される蒸気を含む空気の温度を検出するサーミスタ２７が、蒸発皿１０に接続された接続管３１に設けられているので、空気清浄機１のフィルタ目詰まりやファン２０がロックする等の理由によって風量が低下することによって、外部に放出される蒸気を含んだ空気の温度が異常上昇した場合も、サーミスタ２７によって空気温度の異常を検出することができる。
【００３３】
サーミスタ２７は、空気清浄機１の内部に設けられた空気温度異常安全装置３４（図４参照）に接続されている。空気温度異常安全装置３４は、サーミスタ２７によって検出された蒸気の温度が所定の温度を超えたときにランプヒータ９の運転を停止するように制御する。ここで、「所定の温度」とは、蒸気排出口３０から外部へ吹き出される蒸気吹出温度が人体に影響がない許容温度である５５℃以下になるように設定される、サーミスタ２７の検出温度のしきい値をいう。サーミスタ２７の検出温度のしきい値は、以下のようにして設定される。
【００３４】
サーミスタ２７の検出温度は、蒸気排出口３０から外部へ吹き出される蒸気吹出温度とは異なっている。とくに、ファン２０から送られる風量が大きくなるにしたがって、サーミスタ２７の検出温度と比較して蒸気吹出温度は低くなる傾向にある。
たとえば、図８のグラフを参照しながら、サーミスタ２７の検出温度と蒸気排出口３０から外部へ吹き出される蒸気吹出温度との関係を考える。ここで、通常の運転状態における蒸気吹出温度が４５℃程度、蒸気吹出温度の許容される上限値が５５℃程度であるとする。図８において、ファン２０から送られる風量がまったくない場合（風量ＯＦＦの場合）には、サーミスタ２７の検出温度は、蒸気吹出温度の許容される上限値と同じ温度である５５℃であるが、風量が強くなるにしたがって（風量が弱いときの曲線Ｌ→風量が中程度のときの曲線Ｍ→風量が強いときの曲線Ｈへ移行するにしたがって）、蒸気吹出温度の許容される上限値５５℃に対応するサーミスタ２７の検出温度のしきい値も高くなり、それぞれの風量の強さにしたがって、サーミスタ２７の検出温度のしきい値は、θL、θM、θHのように設定される。
【００３５】
＜加湿機能付き空気清浄機１の動作説明＞
図１〜３に示されるように、ファン２０が作動すると、ファン２０によって発生する負圧の作用により、空気清浄機１の前面の周囲吸気口６から室内の空気が吸引される。吸引された空気は、空気清浄部２のフィルタユニット４０を通過することによって清浄化され、ケース４の上面の吹出口７から外部へ排出される。吹出口７から排出される空気は、風向き調整機構３９を調整することによってユーザの好みの方向へ吹き出される。
また、空気清浄部２によって清浄化された空気の一部は、反射板カバー２４およびダクト２６へ導入される。
反射板カバー２４に導入される空気は、以下のような順に流れる。まず、図２および図５〜図６に示されるように、空気は、空気清浄機１のケース４から反射板カバー２４の連通部２８を通って、第２空間Ｓ２へと流れてくる（図６の矢印Ａ２１参照）。この空気は、第２空間Ｓ２を右から左へと流れる（図６の矢印Ａ２２参照）。このときに、反射板１１から熱が奪われ、空気が暖められる。言い換えれば、反射板１１が冷却される。そして、第２空間Ｓ２の左端に達した空気は、上下連通部３８を通って下方の第１空間Ｓ１へと降りる（図６の矢印Ａ２３，Ａ２４参照）。反射板１１によって暖められた空気は、ランプヒータ９が配置される水Ｗの上方の第１空間Ｓ１を左から右へと流れ、蒸発皿１０内の水Ｗの蒸発を促進させる。そして、第１空間Ｓ１の右端に達した蒸気を含んだ空気は、反射板１１に形成された蒸気排出口１１ａから接続管３１へと流れていく（図６の矢印Ａ２５参照）。蒸気を含んだ空気は、図５に示すようにダクト２６の内部を上昇するときに、ケース４から連通部２９を通ってダクト２６へ導入される冷却用の清浄空気の流れ（図２のＡ２６参照）と合流して冷却され、冷却された蒸気を含んだ空気が蒸気排出口３０を通って外部へ排出される（図２のＡ２７参照）。
＜実施形態の特徴＞
（１）
実施形態の加湿機能付き空気清浄機１では、受熱部１２における温度センサ１４が装着される部分は、少なくとも蒸発皿１０の適正水位Ｌよりも下方の位置において、蒸発皿１０の側部に微少隙間δを介して近接配置されている。したがって、蒸発皿１０の内部の水Ｗの水位が低下したときに、蒸発皿１０の側部から生じる輻射熱を受熱部１２で受けることができる。これにより、蒸発皿１０が受熱部１２と接触していなくても、蒸発皿１０の水温上昇および水位低下を検出することができる。
（２）
実施形態の加湿機能付き空気清浄機１は、蒸発皿１０は受熱部１２と接触していなくても、温度センサ１４によって温度検出され得るので、着脱自在性が確保されやすい。
（３）
実施形態の加湿機能付き空気清浄機１は、水面加熱式であるので、蒸発皿１０の水Ｗの水温は水面より底面の方が低くなるので、水Ｗが蒸発してなくなる前の水位低減時に早期に水温上昇および水位低下を検出することができる。
（４）
実施形態の加湿機能付き空気清浄機１では、蒸発皿１０が着脱自在に装着されるので、蒸発皿１０に付着する水あかなどを容易に洗浄することができ、メンテナンス作業が容易である。
（５）
実施形態の加湿機能付き空気清浄機１では、温度センサ１４および温度ヒューズ２５は、蒸発皿１０を取り外して空間２３（図１参照）が開放されたときでも、受熱部１２によって外部から遮蔽されているので、ユーザは外部から見ることができず、外部から手等が接触して測定精度に影響を与えることがない。
（６）
実施形態の加湿機能付き空気清浄機１では、水面を加熱するためのヒータとして、蒸発皿１０の上方に配置されるランプヒータ９が採用されているので、水を沸騰温度まで迅速に上昇させることができる（いわゆる立ち上がりが早い）。したがって、ランプヒータ９を停止したのちに再び運転を再開するときでも蒸気の発生を早期に再開させることができる。
（７）
実施形態の加湿機能付き空気清浄機１は、水切れ異常安全装置３３を備えているので、温度センサ１４によって検出された温度が所定の温度を超えたときにランプヒータ９の運転を停止するように制御することができる。
（８）
実施形態の加湿機能付き空気清浄機１は、温度ヒューズ２５を備えているので、受熱部１２の温度が所定の温度を超えたときにランプヒータ９への通電を遮断する。
（９）
実施形態の加湿機能付き空気清浄機１では、蒸発皿１０が、空気清浄機１の本体に着脱自在に配置されている。また、空気清浄機１は、蒸発皿１０が適正位置に装着されたときに蒸発皿１０に接触する接触部１３を備えている。接触部１３は、受熱部１２と一体になるように、受熱部１２から下方に延びている。これにより、蒸発皿１０が適正位置に装着されたときには、温度センサ１４が輻射熱および伝導熱を検出できる。また、蒸発皿１０が適正位置に装着されずに、蒸発皿１０と接触部１３とのあいだに隙間ができたときでも、温度センサ１４は、蒸発皿１０からの輻射熱を検出することができる。
また、温度センサ１４と同様に、温度ヒューズ２５も、蒸発皿１０が適正位置に装着されたときには輻射熱および伝導熱を感知することができ、蒸発皿１０と接触部１３とのあいだに隙間ができたときには輻射熱を感知することができる。
（１０）
実施形態の加湿機能付き空気清浄機１は、蒸発皿１０から発生する蒸気を含む空気の温度を検出するサーミスタ２７を備えているので、空気清浄機１のフィルタ目詰まりやファン２０がロックする等の理由によって風量が低下した場合に、外部に放出される蒸気を含んだ空気の温度が異常上昇した場合も、サーミスタ２７によって検出することができる。
（１１）
実施形態の加湿機能付き空気清浄機１は、空気温度異常安全装置３４を備えているので、サーミスタ２７によって検出された温度が蒸気吹出温度の許容温度に対応する所定の温度を超えたときにランプヒータ９の運転を停止するように制御することができる。
【００３６】
＜実施形態の変形例＞
（ａ）
実施形態では、温度検出部として温度センサ１４が採用され、水切れ異常安全装置３３が、温度センサ１４によって検出された温度が所定の温度を超えたときにヒータの運転を停止するように制御しているが、本発明はこれに限定されるものではない。変形例として、たとえば、温度検出部としてバイメタルを採用すれば、バイメタルによって検出された温度が所定の温度を超えたときにヒータの運転を停止することができる。
（ｂ）
実施形態では、温度検出部として、温度センサ１４および温度ヒューズ２５が上下に２個配置されている例が示されているが、本発明はこれに限定されるものではなく、温度検出部および温度ヒューズの個数および配置は任意に変更してもよい。
（ｃ）
実施形態では、加湿装置として、加湿機能付き空気清浄機を例にあげて説明したが、本発明はこれに限定されるものではなく、空気清浄機能をもたない水面加熱式の加湿器にも、本発明を適用することができる。
【図面の簡単な説明】
【００３７】
【図１】本発明の実施形態に係わる加湿装置の一例である加湿機能付き空気清浄機の部分分解斜視図。
【図２】図１の加湿部の縦断面図。
【図３】図２のフィルタユニットの分解斜視図。
【図４】図２のランプヒータの運転を制御するための機構を示すブロック図。
【図５】図１の蒸発皿、反射板カバーおよびダクトの部分を示す斜視図。
【図６】図２の蒸発皿と反射板カバーとで形成された空間の内部を示す断面図。
【図７】温度センサおよび温度ヒューズの検出温度の時間的変化を示すグラフ。
【図８】サーミスタ温度と蒸気吹出温度との関係を示すグラフ。
【符号の説明】
【００３８】
１  加湿機能付き空気清浄機
２  空気清浄部
３  加湿部
９  ランプヒータ
１０  蒸発皿
１２  受熱部
１３  接触部
１４  温度センサ
２０  ファン
２５  温度ヒューズ
【図１】
2006125741.tif 000003
【図２】
2006125741.tif 000004
【図３】
2006125741.tif 000005
【図４】
2006125741.tif 000006
【図５】
2006125741.tif 000007
【図６】
2006125741.tif 000008
【図７】
2006125741.tif 000009
【図８】
2006125741.tif 000010